(57)【要約】【課題】番組の提供者がもっと自由度の高い音声の提供方法を考えていても、実現することができない。【解決手段】音声データ受信装置１は、番組情報と、前記音声データＩＤ及びＵＲＬ情報とを対応付けたネット接続紐付データを受信する受信部と、受信された前記番組情報を表示させる表示制御部と、表示された前記番組情報において、カーソルで指定された所望の番組情報を管理するカーソル位置管理部２１と、管理された前記所望の番組情報に含まれる音声データＩＤに基づいて、前記ネット接続紐付データから対応するＵＲＬ情報を取得するＵＲＬ取得部２３と、前記取得されたＵＲＬ情報に基づいて、前記音声データサーバから音声データを取得する音声データ取得部２４と、前記取得された音声データを再生する制御を行う音声データ制御部２６とを有する。【選択図】図１
2011188170.tif 000002
【特許請求の範囲】
【請求項１】
番組毎に音声データを識別する音声データＩＤを含む番組情報と、前記音声データＩＤ及び前記音声データを提供する音声データサーバにアクセスするためのＵＲＬ情報とを対応付けたネット接続紐付データを受信する受信部と、
受信された前記番組情報を表示させる表示制御部と、
表示された前記番組情報において、カーソルで指定された所望の番組情報を管理するカーソル位置管理部と、
管理された前記所望の番組情報に含まれる音声データＩＤに基づいて、前記ネット接続紐付データから対応するＵＲＬ情報を取得するＵＲＬ取得部と、
前記取得されたＵＲＬ情報に基づいて、前記音声データサーバから音声データを取得する音声データ取得部と、
前記取得された音声データを再生する制御を行う音声データ制御部と、を具備することを特徴とする音声データ受信装置。
【請求項２】
前記音声データは、前記所望の番組情報に関連する楽曲であることを特徴とする請求項１に記載の音声データ受信装置。
【請求項３】
前記表示制御部は、受信された前記番組情報を番組表として表示させ、
前記カーソル位置管理部は、表示された前記番組表において、カーソルで指定された所望番組の番組情報を管理する、ことを特徴とする請求項１に記載の音声データ受信装置。
【請求項４】
前記表示制御部は、視聴中の番組の番組情報を表示させ、
前記カーソル位置管理部は、前記視聴中の番組の番組情報を管理する、ことを特徴とする請求項１に記載の音声データ受信装置。
【請求項５】
番組毎に音声データを識別する音声データＩＤを含む番組情報と、前記音声データと、前記音声データＩＤに前記音声データのファイル名を対応付けたデータ放送蓄積紐付データを受信する受信部と、
受信された前記番組情報を表示させる表示制御部と、
表示された前記番組情報において、カーソルで指定された所望の番組情報を管理するカーソル位置管理部と、
管理された前記所望の番組情報に含まれる音声データＩＤに基づいて、前記データ放送蓄積紐付データにおいて対応するファイル名が存在するか否かを判断するファイル検索部と、
前記ファイル検索部において、対応するファイル名が存在すると判断した場合に、前記ファイル名に基づいて対応する音声データを取得するファイル取得部と、
前記取得された音声データを再生する制御を行う音声データ制御部と、を具備することを特徴とする音声データ受信装置。
【請求項６】
前記受信部は、前記音声データＩＤに前記音声データを提供する音声データサーバにアクセスするためのＵＲＬ情報を対応付けたネット接続紐付データを更に受信し、
管理された前記所望の番組情報に含まれる音声データＩＤに基づいて、前記ネット接続紐付データから対応するＵＲＬ情報を取得するＵＲＬ取得部と、
前記取得されたＵＲＬ情報に基づいて、前記音声データサーバから音声データを取得する音声データ取得部と、を更に備え、
前記ファイル検索部は、前記データ放送蓄積紐付データにおいて対応するファイル名が存在しないと判断した場合に、前記ＵＲＬ取得部へ前記音声データＩＤを出力し、
前記音声データ制御部は、前記音声データ取得部が取得した音声データを再生する制御を行う、ことを特徴とする請求項５に記載の音声データ受信装置。
【請求項７】
番組毎に音声データを識別する音声データＩＤを含む番組情報を受信する番組情報受信ステップと、
前記音声データＩＤに前記音声データを提供する音声データサーバにアクセスするためのＵＲＬ情報を対応付けたネット接続紐付データを受信するネット接続紐付データ受信ステップと、
受信された前記番組情報を表示させる表示制御ステップと、
表示された前記番組情報において、カーソルで指定された所望の番組情報を管理するカーソル位置管理ステップと、
管理された前記所望の番組情報に含まれる音声データＩＤに基づいて、前記ネット接続紐付データから対応するＵＲＬ情報を取得するＵＲＬ取得ステップと、
前記取得されたＵＲＬ情報に基づいて、前記音声データサーバから音声データを取得する音声データ取得ステップと、
前記取得された音声データを再生する制御を行う音声データ制御ステップと、
を有することを特徴とする音声データ受信方法。
【請求項８】
前記表示制御ステップは、受信された前記番組情報を番組表として表示させるステップであり、
前記カーソル位置管理ステップは、表示された前記番組表において、カーソルで指定された所望番組の番組情報を管理するステップである、
ことを特徴とする請求項７に記載の音声データ受信方法。
【請求項９】
前記表示制御ステップは、視聴中の番組の番組情報を表示させるステップであり、
前記カーソル位置管理ステップは、前記視聴中の番組の番組情報を管理するステップである、
ことを特徴とする請求項７に記載の音声データ受信方法。
【請求項１０】
番組毎に音声データを識別する音声データＩＤを含む番組情報を受信する番組情報受信ステップと、
前記音声データを受信する音声データ受信ステップと、
前記音声データＩＤに前記音声データのファイル名を対応付けたデータ放送蓄積紐付データを受信するデータ放送蓄積紐付データ受信ステップと、
受信された前記番組情報を表示させる表示制御ステップと、
表示された前記番組情報において、カーソルで指定された所望の番組情報を管理するカーソル位置管理ステップと、
管理された前記所望の番組情報に含まれる音声データＩＤに基づいて、前記データ放送蓄積紐付データにおいて対応するファイル名が存在するか否かを判断するファイル検索ステップと、
前記ファイル検索ステップにおいて、対応するファイル名が存在すると判断した場合に、前記ファイル名に基づいて対応する音声データを取得するファイル取得ステップと、
前記取得された音声データを再生する制御を行う音声データ制御ステップと、
を有することを特徴とする音声データ受信方法。
【請求項１１】
前記音声データＩＤに前記音声データを提供する音声データサーバにアクセスするためのＵＲＬ情報を対応付けたネット接続紐付データを受信するネット接続紐付データ受信ステップと、
管理された前記所望の番組情報に含まれる音声データＩＤに基づいて、前記ネット接続紐付データから対応するＵＲＬ情報を取得するＵＲＬ取得ステップと、
前記ファイル検索ステップが、前記データ放送蓄積紐付データにおいて対応するファイル名が存在しないと判断した場合に、前記取得されたＵＲＬ情報に基づいて、前記音声データサーバから音声データを取得する音声データ取得ステップと、を更に備え、
前記音声データ制御ステップは、前記音声データ取得ステップにおいて取得した音声データを再生する制御を行う、
ことを特徴とする請求項１０に記載の音声データ受信方法。
【発明の詳細な説明】
【技術分野】
【０００１】
本発明は、音声データ受信装置および音声データ受信方法に関し、更に詳しくは、番組情報等の放送局から送信される情報を音声出力する際に、自由度の高い音声データに基づいて音声出力することが可能な音声データ受信装置及び音声データ受信方法に関する。
【背景技術】
【０００２】
近年、テレビジョン番組などの番組表を受信する機能を持つ番組受信機が増えている。番組受信機の使用方法としては、例えば、受信した番組表をディスプレイに表示するなどの使用が挙げられる。
【０００３】
番組受信機の利用者は、ディスプレイに番組表を表示しながら、リモコンなどを用いて、番組表上のカーソルを操作し、カーソルで選択した番組の選局や録画予約の登録をすることができる。
【０００４】
ここで、特許文献１には、番組名または番組表の内容を音声で読み上げる機能を有する番組受信機が開示されている。
【０００５】
このようにすれば、利用者は番組表の文字が見づらくても、番組表の内容を把握することができる。
【先行技術文献】
【特許文献】
【０００６】
【特許文献１】特開２００７−６７５９５号公報
【発明の概要】
【発明が解決しようとする課題】
【０００７】
しかしながら前記従来の技術では、番組受信機は番組表の内容を解読し、それを合成音声で読み上げていた。
【０００８】
よって、番組の提供者が、例えば番組の出演者などの声で番組の内容を読み上げて欲しいと考えていても、または番組のテーマソングの音声データを再生したいと考えていても、実現することができなかった。
【０００９】
つまり、番組の提供者がもっと自由度の高い音声の提供方法を考えていても、実現することができないという問題があった。
【００１０】
本発明は、上記事情に鑑みてなされたものであって、番組の提供者が自由度の高い音声を提供する為の音声データ受信装置および音声データ受信方法を提供することを目的としている。
【課題を解決するための手段】
【００１１】
前記従来の課題を解決する為に、本発明の音声データ受信装置は、番組毎に音声データを識別する音声データＩＤを含む番組情報と、前記音声データＩＤ及び前記音声データを提供する音声データサーバにアクセスするためのＵＲＬ情報とを対応付けたネット接続紐付データを受信する受信部と、受信された前記番組情報を表示させる表示制御部と、表示された前記番組情報において、カーソルで指定された所望の番組情報を管理するカーソル位置管理部と、管理された前記所望の番組情報に含まれる音声データＩＤに基づいて、前記ネット接続紐付データから対応するＵＲＬ情報を取得するＵＲＬ取得部と、前記取得されたＵＲＬ情報に基づいて、前記音声データサーバから音声データを取得する音声データ取得部と、前記取得された音声データを再生する制御を行う音声データ制御部と、を具備することを特徴とする音声データ受信装置とした。
【００１２】
また、本発明の音声データ受信装置は、番組毎に音声データを識別する音声データＩＤを含む番組情報と、前記音声データと、前記音声データＩＤに前記音声データのファイル名を対応付けたデータ放送蓄積紐付データを受信する受信部と、受信された前記番組情報を表示させる表示制御部と、表示された前記番組情報において、カーソルで指定された所望の番組情報を管理するカーソル位置管理部と、管理された前記所望の番組情報に含まれる音声データＩＤに基づいて、前記データ放送蓄積紐付データにおいて対応するファイル名が存在するか否かを判断するファイル検索部と、前記ファイル検索部において、対応するファイル名が存在すると判断した場合に、前記ファイル名に基づいて対応する音声データを取得するファイル取得部と、前記取得された音声データを再生する制御を行う音声データ制御部と、を具備することを特徴とする音声データ受信装置ともした。
【００１３】
また、本発明の音声データ受信方法は、番組毎に音声データを識別する音声データＩＤを含む番組情報を受信する番組情報受信ステップと、前記音声データＩＤに前記音声データを提供する音声データサーバにアクセスするためのＵＲＬ情報を対応付けたネット接続紐付データを受信するネット接続紐付データ受信ステップと、受信された前記番組情報を表示させる表示制御ステップと、表示された前記番組情報において、カーソルで指定された所望の番組情報を管理するカーソル位置管理ステップと、管理された前記所望の番組情報に含まれる音声データＩＤに基づいて、前記ネット接続紐付データから対応するＵＲＬ情報を取得するＵＲＬ取得ステップと、前記取得されたＵＲＬ情報に基づいて、前記音声データサーバから音声データを取得する音声データ取得ステップと、前記取得された音声データを再生する制御を行う音声データ制御ステップと、を有することを特徴とする音声データ受信方法とした。
【００１４】
また、本発明の音声データ受信方法は、番組毎に音声データを識別する音声データＩＤを含む番組情報を受信する番組情報受信ステップと、前記音声データを受信する音声データ受信ステップと、前記音声データＩＤに前記音声データのファイル名を対応付けたデータ放送蓄積紐付データを受信するデータ放送蓄積紐付データ受信ステップと、受信された前記番組情報を表示させる表示制御ステップと、表示された前記番組情報において、カーソルで指定された所望の番組情報を管理するカーソル位置管理ステップと、管理された前記所望の番組情報に含まれる音声データＩＤに基づいて、前記データ放送蓄積紐付データにおいて対応するファイル名が存在するか否かを判断するファイル検索ステップと、前記ファイル検索ステップにおいて、対応するファイル名が存在すると判断した場合に、前記ファイル名に基づいて対応する音声データを取得するファイル取得ステップと、前記取得された音声データを再生する制御を行う音声データ制御ステップと、を有することを特徴とする音声データ受信方法ともした。
【発明の効果】
【００１５】
本発明によれば、音声データサーバ上に保存された音声データを、番組表または視聴中の番組に対応させて提供することができ、その際、音声データサーバ上の音声データは出演者の音声や番組テーマソング等に適宜工夫することが可能であるから、自由度の高い音声データを提供することができる。
【図面の簡単な説明】
【００１６】
【図１】実施の形態１にかかる音声データ受信装置の構成を示すブロック図
【図２】実施の形態１にかかる音声データ受信装置の音声データ再生処理を示すフローチャート
【図３】実施の形態１にかかるモニタの表示状態遷移を表す図
【図４】実施の形態２にかかる音声データ受信装置の構成を示すブロック図
【図５】実施の形態２にかかる音声データ受信装置の音声データ再生処理を示すフローチャート
【図６】実施の形態２にかかるモニタの表示状態遷移を表す図
【発明を実施するための形態】
【００１７】
以下本発明の一実施の形態について図面を参照しながら説明する。
【００１８】
（実施の形態１）
図１から図３を参照しながら、実施の形態１について説明する。図１は、本発明の実施の形態１にかかる音声データ受信装置の構成を示すブロック図である。
【００１９】
音声データ受信装置１は、チューナー３、ＤＥＭＵＸ回路４、デコード部５、メインメモリ６、映像出力回路７、音声合成回路８、番組表表示制御部９、リモコン受光部１０、モニタ１１、音声出力回路１２、スピーカ１３、カーソル位置管理部２１、音声ＩＤ取得部２２、ＵＲＬ取得部２３、音声データ取得部２４、音声データ記憶部２５、音声データ制御部２６からなる。
【００２０】
チューナー３は、アンテナ（図示しない）が受信した放送信号を受け、復調などの処理を行い、復調した信号をＤＥＭＵＸ回路４に送るものである。なお、チューナー３は受信部を構成する。
【００２１】
ＤＥＭＵＸ回路４は、チューナー３から受けた信号を、番組の映像および音声の情報からなるＭＰＥＧデータと、番組表などの情報からなる番組付属情報とに分離するものである。ＭＰＥＧデータはデコード部５に送られる。番組付属情報はメインメモリ６に送られる。なお、本実施の形態では、番組付属情報として、番組の番組識別情報、番組名（タイトル）、開始時刻、番組継続時間の他、音声データを識別するための音声データＩＤ及び音声データを音声データサーバから取得するためのアクセス情報（音声データＵＲＬ）が送信される。ここで、音声データＩＤに音声データＵＲＬを対応付けたデータをネット接続紐付データと呼ぶ。
【００２２】
デコード部５は、ＭＰＥＧデータを復調し、復調された映像信号を映像出力回路７に送り、復調された音声信号を音声合成部８に送るものである。
【００２３】
メインメモリ６は、番組付属情報を記憶するものである。番組付属情報は番組表表示制御部９から参照される。
【００２４】
リモコン受光部１０は、リモコン（図示しない）の操作を受け、番組表表示制御部９に対して番組表に関する指示を与えるものである。
【００２５】
番組表表示制御部９は、リモコン受光部１０から受けた指示に従ってメインメモリ６に記憶された番組付属情報を参照して番組表を構成し、映像出力回路７に番組表をＯＳＤ（Ｏｎ  Ｓｃｒｅｅｎ  Ｄｉｓｐｌａｙ）信号として送るものである。また、映像出力回路７を制御することで選択された番組にカーソルを表示させるとともに、カーソル位置管理部２１にカーソルで選択された番組の番組情報（位置情報）を通知するものである。なお、番組表表示制御部９は、表示制御部を構成する。
【００２６】
カーソル位置管理部２１は、番組表表示制御部９から通知されたカーソルで選択された番組の番組情報（位置情報）を管理するとともに、音声ＩＤ取得部２２に通知するものである。ここで、位置情報としてはカーソルで選択された番組の番組識別情報を通知する。
【００２７】
音声ＩＤ取得部２２は、カーソル位置管理部２１から通知された番組情報（位置情報）及びメインメモリ６に記憶された番組付属情報に基づいて、カーソルで選択された番組に対応付けられた音声データＩＤを取得し、ＵＲＬ取得部２３に通知するものである。
【００２８】
ＵＲＬ取得部２３は、音声ＩＤ取得部２２で取得した音声データＩＤに対応する音声データＵＲＬをメインメモリ６に記憶されたネット接続紐付データから取得し、音声データ取得部２４に通知するものである。
【００２９】
音声データ取得部２４は、ＵＲＬにアクセスする機能を有しており、ＵＲＬ取得部２３から通知されたＵＲＬにアクセスし、音声データをダウンロードするものである。
【００３０】
音声データ記憶部２５は、音声データ取得部２４がダウンロードした音声データを記憶するものである。
【００３１】
音声データ制御部２６は、音声データ記憶部２５に記憶された音声データを再生制御管理するものであり、音声データから音声信号を生成し、音声合成部８に送るものである。
【００３２】
映像出力回路７はデコード部５から送られた映像信号をモニタ１１に表示させるものである。また、番組表表示制御部９から送られたＯＳＤ信号を映像信号に合成してモニタ１１に表示させるものである。
【００３３】
音声合成部８は、デコード部５および音声データ制御部２６から送られた音声信号を合成し、合成した音声信号を音声出力回路１２へ送るものである。
【００３４】
音声出力回路１２は、音声信号をスピーカ１３から再生させるものである。モニタ１１は、プラズマディスプレイパネル、または液晶ディスプレイパネルなどからなり映像信号表示機能を有するものである。スピーカ１３は、音声信号を再生する機能を有するものである。なお、本実施の形態では、モニタ１１及びスピーカ１３を音声データ受信装置１の構成要素として説明しているが、音声データ受信装置１は、映像出力回路７及び音声出力回路１２からの映像信号及び音声信号を、音声データ受信装置１の外部装置として設けられたモニタ及びスピーカに出力する構成であってもよい。
【００３５】
次に、図２および図３を用いて音声データ再生処理を説明する。図２は、実施の形態１にかかる、音声データ受信装置１の音声データ再生処理を示すフローチャートである。図３は、モニタ１１の表示状態遷移を表す図である。以下、フローチャートに沿って音声データ受信装置１の内部動作を詳述する。
【００３６】
まず、モニタ１１には図３（ａ）のように番組表が表示されているとする（ステップＳ１）。ここで、番組表は次のようにしてモニタ１１に表示されるものである。まず、チューナー３で受信された放送信号に重畳された番組付加情報をＤＥＭＵＸ回路５が復号する。続いてメインメモリ６が番組付加情報を保存する。そして番組表表示制御部９が映像出力回路７を介してモニタ１１に番組表を表示するという手順である。
【００３７】
図３（ａ）に表示されている番組表は複数の番組が放送局を横軸、時間を縦軸にしてレイアウトされている。ひとつの番組は番組タイトルと番組内容が対となって番組表に掲載されている。そのうちひとつの番組がカーソルによって視覚的に特徴づけられている。そして、番組表の上部には、カーソルで選択された番組の詳細情報が別領域に表示されている。図３（ａ）では、カーソルで選択された番組「○×□クイズ」の番組タイトル、開始時刻等の情報が別領域に表示されている。ここで、カーソルが番組を視覚的に特徴づける手段としては、番組枠の内部の色を強調色に変更する方法、番組タイトルまたは番組内容のフォントを変更する方法などがある。
【００３８】
続いて、任意のタイミングで音声データ受信装置１の利用者がリモコンを操作し、カーソルを移動させる。ここでは、カーソルを下にひとつ移動する要求を出したとする。この場合、リモコン受光部１０は、リモコンの操作を受けると、番組表表示制御部９に対して番組カーソルをひとつ下に移動するように指示を与える（ステップＳ２）。前記指示に応じて、番組表表示制御部９は、カーソル位置管理部２１に、カーソルをひとつ下に移動させた先の番組の番組情報（位置情報）を通知する。
【００３９】
ここで番組情報は、図３（ｂ）のように、少なくとも番組タイトル、開始時刻、音声データＩＤを含むものである。音声データＩＤは所定のルールによって、番組に対して固有に定められたものである。ここで所定のルールとは、例えば番組に対して固有のＩＤを与えるように、番組表提供事業者、または番組提供事業者と取り決めるようにしておいてもよいし、番組表にあらかじめ他の目的で付加されている固有のＩＤを使用してもよいし、音声データ受信装置１の利用者が決めたものでもよい。つまり音声データＩＤは、番組を固有に識別付けるものであればよい。
【００４０】
また、番組表表示制御部９は、映像出力回路７にもカーソルが強調する番組の位置を通知し、映像出力回路７の動作によってモニタ１１では図３（ｃ）のようにカーソルがひとつ下に移動したように表示が切り替わる（ステップＳ３）。
【００４１】
続いてカーソル位置管理部２１が、カーソル位置が変化したことを音声ＩＤ取得部２２に通知する。音声ＩＤ取得部２２は、カーソルが強調する番組の番組情報（位置情報）に対応する番組付属情報をメインメモリ６から取得し、取得した番組付属情報から音声データＩＤを取得する（ステップＳ４）。
【００４２】
ここで、音声データＩＤは、対応する音声データＵＲＬが図３（ｄ）のように紐付けられている（ネット接続紐付データ）。対応づけの方法としては、音声データＩＤをアドレスの一部に用いてもよいし、音声データＩＤに対する対応規則を別途策定してもよい。音声データＵＲＬは、インターネット上の音声データサーバに音声データが格納されている箇所を特定するものである。音声データは番組表情報提供事業者または放送事業者などが音声データサーバにアップロードしたものである。
【００４３】
続いてＵＲＬ取得部２３が、音声ＩＤ取得部２２が取得した音声データＩＤに対応するＵＲＬをネット接続紐付データから取得し、音声データ取得部２４に通知する（ステップＳ５）。
【００４４】
続いて音声データ取得部２４が、ＵＲＬ取得部２３が取得した音声データＵＲＬに通信機能を介して接続し、音声データ記憶部２５に音声データサーバからダウンロードした音声データを記憶させる（ステップＳ６）。この際の音声データの内容は、番組表の内容を番組の出演者が喋るものであったり、番組のテーマソングであったりと様々な要素で構成することが可能である。
【００４５】
そして、音声データ制御部２６が音声データ記憶部２５にダウンロードされた音声データを音声信号に復号して、音声合成部８に送り、音声信号の内容は音声出力回路１２を介してスピーカ１３から再生される（ステップＳ７）。
【００４６】
以上のように、本実施の形態の音声データ受信装置１によれば、音声データ受信装置１が再生する音声データは音声データサーバ上にアップロードされたものであって、番組表情報提供事業者や放送事業者の嗜好によって適宜内容を変化させることができる。すなわち、音声データ受信装置１の利用者は興味のある番組に対して番組カーソルを移動させた際に音声データの内容を再生することによって、番組表に表示されている情報をただ知覚するだけでなく、その音声の話者が番組の出演者だったり、その音声の内容が番組のダイジェストや次回予告だったり、その音声が番組のテーマソングだったりと、予期できない様々な内容を知覚することができるのである。
【００４７】
また、音声ＩＤ取得部２２が音声データＩＤを取得（ステップＳ４）して、音声データを音声データ記憶部２５にダウンロードする（ステップＳ６）までの処理は、本実施の形態ではカーソルが音声データＩＤを番組情報にもつ番組に移動してから行ったが、これに限定されるものではない。つまり、番組表表示時にダウンロード可能な全ての番組について音声データをダウンロードしてもよいし、番組表を表示していなくても音声データ受信装置１の電源が入っている際に全ての番組をダウンロードしてもよい。このようにすると、音声データサーバからのダウンロードが回線状況によって混雑している際でも、音声データ受信装置１の利用者を待たせず、音声の再生を行うことが可能である。
【００４８】
また、１度にダウンロード可能な全ての番組について音声データをダウンロードするのではなく、１日分、または所定時間分の音声データのみをダウンロードするようにしてもよい。このようにすると、音声データ記憶部２５の記憶容量を無駄に大きくすることを防ぎ、音声データ制御部２６の制御効率を向上させることができる。
【００４９】
また、本実施の形態では、カーソル位置管理部２１が管理するものは番組表に記載された複数の番組のひとつであったが、本発明は、番組を示す標識を視覚的に特徴づけることのできる技術分野にも幅広く適用可能なものであり、例えば、番組を示す標識としての番組バナーなどをカーソルで視覚的に特徴づける場合にも同様の処理が可能である。このようにすると、例えばモニタ１１ではメインの番組を表示しており、モニタ１１の端枠に表示された番組広告には関連する番組の挿絵などが表示されているときに、広告をカーソルで視覚的に特徴づけることによって関連する番組に関する音声データが再生され、より自由度の高い音声データの提供が可能となる。
【００５０】
また、本実施の形態では、音声データＩＤ及びネット接続紐付データを番組付属情報として放送信号に重畳して送信しているが、番組付属情報には音声データＩＤのみを付加し、ネット接続紐付データについては、音声データサーバからダウンロードして音声データ記憶部２５に記憶しておき、ＵＲＬ取得部２３での音声データＵＲＬ取得に利用してもよい。
【００５１】
また、本実施の形態では、番組表表示状態においてリモコン操作後にフォーカスされた番組について対応する音声データを再生しているが、番組表表示開始時において最初にフォーカスされた番組についても同様に音声データを再生するようにしてもよい。
【００５２】
また、本実施の形態では、音声データの提供は番組表を番組カーソルで視覚的に特徴付けることを契機に行われたが、視聴中の番組に関して、リアルタイムに音声データを提供するようにすることも可能である。そのためには、カーソル位置管理部２１を、チューナー３が現在復調している番組のチャンネル情報を取得して現在視聴中の番組の番組情報を特定し、特定された番組情報に含まれる音声データＩＤを音声ＩＤ取得部２２に通知する視聴番組管理部として構成すればよい。この場合、音声データの再生のタイミングは様々なものが考えられる。例えば、視聴番組を切り替えた直後のタイミングとすれば、利用者が即座に未知の番組に対する情報を得ることができる。また、たとえば「音声情報再生ボタン」のようなボタンをリモコンに配置すれば、利用者の入力に応じて任意のタイミングで音声データを再生することができる。このようにすると、利用者が音声データを聞き逃したときも、繰り返し手軽に音声データを聴きなおすことができる。
【００５３】
（実施の形態２）
図４から図６を参照しながら、実施の形態２について説明する。図４は、本発明の実施の形態２にかかる音声データ受信装置の構成を示すブロック図である。
【００５４】
音声データ受信装置１００は、チューナー２０１、ＤＥＭＵＸ回路２０２、デコード部５、メインメモリ２０３、映像出力回路７、音声合成回路８、番組表表示制御部９、リモコン受光部１０、モニタ１１、音声出力回路１２、スピーカ１３、カーソル位置管理部２１、音声ＩＤ取得部２２、ファイル検索部３１、ＵＲＬ取得部３２、音声データ取得部２４、音声データ記憶部２５、ファイル取得部３３、音声データ制御部３４からなる。
【００５５】
実施の形態１ではインターネット等の通信手段を用いて音声データを音声データサーバよりダウンロードしているが、実施の形態２ではデータ放送より音声データを取得し、データ放送で取得できない場合にインターネット等の通信手段を用いて音声データサーバより音声データを補完する。ここで、図４において、図１と同機能を有するものは同符号を付して説明を省略する。
【００５６】
チューナー２０１は、アンテナ（図示しない）が受信したデータ放送信号を含む放送信号を受け、復調などの処理を行い、復調した信号をＤＥＭＵＸ回路４に送るものである。なお、チューナー２０１は受信部を構成する。
【００５７】
ＤＥＭＵＸ回路２０２は、チューナー２０１から受けた信号を、番組の映像および音声の情報からなるＭＰＥＧデータと、番組表、音声データなどの情報からなる番組付属情報と、データ放送データとに分離するものである。ＭＰＥＧデータはデコード部５に送られる。番組付属情報およびデータ放送データはメインメモリ２０３に送られる。なお、本実施の形態では、データ放送データとして、音声データ本体及び音声データを識別するための音声データＩＤが送信される。ここで、データ放送として送信される、音声データＩＤに音声データを示すファイル名を対応付けたデータをデータ放送蓄積紐付データと呼ぶ。
【００５８】
メインメモリ２０３は、番組付属情報およびデータ放送データを記憶するものである。番組付属情報は番組表表示制御部９、ファイル検索部３１から参照される。データ放送データは、ファイル検索部３１、ファイル取得部３２から参照される。
【００５９】
ファイル検索部３１は、音声ＩＤ取得部２２から通知された音声データＩＤに対応するファイル名をデータ放送蓄積紐付データから取得し、メインメモリ２０３にファイル名に対応するファイルが存在するか否かの判定を行う。音声データＩＤに対応するファイルが存在する場合は、ファイル取得部３２に対して、取得すべき音声データのファイル名を通知する。音声データＩＤに対応するファイルが存在しない場合は、ＵＲＬ取得部３２に対して、音声データＩＤを通知する。
【００６０】
ＵＲＬ取得部３２は、ファイル検索部３１から取得した音声データＩＤに対応する音声データＵＲＬをメインメモリ６に記憶されたネット接続紐付データから取得し、音声データ取得部２４に通知するものである。
【００６１】
ファイル取得部３３は、ファイル検索部３１から取得したファイル名に対応する音声データをメインメモリ２０３から取得し、音声データ制御部３４へ通知する。
【００６２】
音声データ制御部３４は、音声データ記憶部２５に記憶された音声データ、または、ファイル取得部３３が取得した音声データを再生制御管理するものであり、音声データから音声信号を生成し、音声合成部８に送るものである。
【００６３】
次に、図５および図６を用いて音声データ再生処理を説明する。図５は、実施の形態２にかかる、音声データ受信装置１００の音声データ再生処理を示すフローチャートである。図６は、モニタ１１の表示状態遷移を表す図である。以下、フローチャートに沿って音声データ受信装置１００の内部動作を詳述する。なお、図５において図３と同符号を付したものは同処理を行うため説明を簡略化する。
【００６４】
まず、モニタ１１には図６（ａ）のように番組表が表示されているとする（ステップＳ１）。
【００６５】
続いて、任意のタイミングで音声データ受信装置１００の利用者がリモコンを操作し、カーソルを移動させる（ステップＳ２）。ここでは、カーソルを下にひとつ移動したとする。
【００６６】
リモコン受光部１０はリモコンの操作を受け、番組表表示制御部９に対してカーソルをひとつ下に移動するように指示を与える（ステップＳ３）。すると番組表表示制御部９は、カーソル位置管理部２１に、番組表の情報およびカーソルが強調する番組の番組情報を通知する。
【００６７】
ここで番組情報は、図６（ｂ）のように、図３（ｂ）と同様に、番組タイトル、開始時刻、音声データＩＤを含むものである。音声データＩＤは所定のルールによって、番組に対して固有に定められたものである。
【００６８】
また、番組表表示制御部９は、映像出力回路７にもカーソルが強調する番組の位置を通知し、映像出力回路７の動作によってモニタ１１では図６（ｃ）のように番組カーソルがひとつ下に移動したように表示が切り替わっている。
【００６９】
続いてカーソル位置管理部２１が、カーソル位置が変化したことを音声ＩＤ取得部２２に通知する。音声ＩＤ取得部２２はカーソルが強調する番組の番組情報をカーソル位置管理部２１から取得する。そして、番組について音声データＩＤを取得する（ステップＳ４）。
【００７０】
音声データＩＤに対しては、対応するＵＲＬが図６（ｄ）のように紐付けられている（ネット接続紐付データ）。また対応するファイル名が図６（ｅ）のように紐付けられている（データ放送蓄積紐付データ）。対応づけの方法としては、音声データＩＤをファイル名およびＵＲＬの一部に用いてもよいし、音声データＩＤに対する対応規則を別途策定してもよい。ファイル名はメインメモリ２０３上に格納されている音声データの名称を特定するものである。音声データは番組表情報提供事業者または放送事業者などが音声データサーバにアップロードし、音声データサーバから放送信号に重畳してデータ放送データとして音声データ受信装置１００に受信させたものである。ＵＲＬはインターネット上の音声データサーバに音声データが格納されている箇所を特定するものである。音声データは番組表情報提供事業者または放送事業者などが音声データサーバにアップロードしたものである。
【００７１】
続いてファイル検索部３１が、音声ＩＤ取得部２２が取得した音声データＩＤに対応するファイル名の取得処理を実行する（ステップＳ２１）。ファイル検索部３１が、メインメモリ２０３において音声データＩＤに対応するファイル名が存在する、すなわち対応するファイルが存在すると判断した場合は（ステップＳ２２で「Ｙｅｓ」）、ファイル取得部３３に対してファイル名を通知する。ファイル取得部３３は、取得したファイル名に対応する音声データをメインメモリ２０３から音声データを取得し（ステップＳ２３）、音声データ制御部３４に対して取得した音声データを出力する。音声データ制御部３４は、ファイル取得部３３で取得された音声データを音声信号に復号して、音声合成部８に送り、音声信号の内容は音声出力回路１２を介してスピーカ１３から再生される（ステップＳ２４）。
【００７２】
一方、ファイル検索部３１が、音声データＩＤに対応するファイルがメインメモリ２０３に存在しないと判断した場合は（ステップＳ２２で「Ｎｏ」）、ＵＲＬ取得部３２に音声データＩＤを通知し、ＵＲＬ取得部３２での対応する音声データＵＲＬ取得処理（ステップＳ２５）、音声データ取得部２４での音声データ取得処理（ステップＳ２６）、音声データ制御部３４での音声データ復号処理等の音声処理（ステップＳ２４）を実行する。
【００７３】
このように音声データ受信装置１００が動作すると、実施の形態１で述べた利点に加えて次のような利点がある。
【００７４】
すなわち、音声データ受信装置１００では音声データを、次の２通りの手段で記憶する。ひとつはデータ放送信号として放送経由で受信して記憶する手段と、もうひとつはインターネットに代表される双方向通信等を使用して、音声データ受信装置１００の要求によってダウンロードし、記憶する手段である。
【００７５】
ここで、本実施の形態における音声データ受信装置１００の動作では、機器の要求によってダウンロードをする場面は限定的であり、あくまで放送経由での音声データ受信の補完的位置づけとなっている。つまり、放送信号から音声データを受信していなかった場面のみである。
【００７６】
このようにすると、音声データ受信装置１００が普段の番組の受信に使用する放送信号を、音声データの取得にも利用することができる。よってインターネット回線等、他の通信機能を有していても、通信容量が限られている場合は音声データをより良い通信環境で取得することができる。また、通信機能に電源の停止や、通信業者側の障害があって通信機能が使用できない場合であっても、音声データを取得することができる。しかも、放送信号によって音声データを取得していない場合であっても、音声データ受信装置１００の要求によって音声データをインターネット経由でダウンロードすることができるので、音声データを確実に確保することができる。
【００７７】
なお、放送信号によって音声データを取得していない場合に、さらに現在受信している放送信号から音声データを取得するように音声データ受信装置１００を構成しても良い。このようにすると、音声データ受信装置１００が他の通信機能を保有せずとも、音声データを取得することができる。一方で、本実施の形態のようにＵＲＬを用いて音声データをダウンロードするようにすると、チューナー２０１が所望の音声データを含む放送信号を受信していない場合であっても、音声データをダウンロードできるという利点がある。
【００７８】
また、音声ＩＤ取得部２２が音声データＩＤを取得（ステップＳ４）して、音声データを音声データ記憶部２５にダウンロードする（ステップＳ２６）までの処理は、本実施の形態ではカーソルが音声データＩＤを番組情報にもつ番組に移動し、かつ放送信号として音声データが送信されていないという判断を行ってから実行したが、これに限定されるものではない。つまり、番組表表示時に予めダウンロード可能な全ての番組について音声データをダウンロードしてもよいし、番組表を表示していなくても音声データ受信装置１００の電源が入っている際に全ての番組をダウンロードしてもよい。このようにすると、放送信号として音声データが送信されていないと判断された場合でも、迅速に音声の再生を行うことが可能である。また、１度にダウンロード可能な全ての番組について音声データをダウンロードするのではなく、１日分、または所定時間分の音声データのみをダウンロードするようにしてもよい。このようにすると、音声データ記憶部２５の記憶容量を無駄に大きくすることを防ぎ、音声データ制御部２６の制御効率を向上させることができる。
【００７９】
なお、本実施の形態では、放送信号として音声データが送信されていない場合にインターネット経由で音声データをダウンロードしているが、インターネット経由で音声データがダウンロードできない場合に、放送信号から音声データを取得するようにしてもよい。
【００８０】
また、本実施の形態では、カーソル位置管理部２１が管理するものは番組表に記載された複数の番組のひとつであったが、本発明は、番組を示す標識を視覚的に特徴づけることのできる技術分野には幅広く適用可能なものであり、例えば、番組を示す標識としての番組広告などをカーソルで視覚的に特徴づける場合にも同様の処理が可能である。
【００８１】
このようにすると、例えば表示部１１ではメインの番組を表示しており、表示部１１の端枠に表示された番組広告には関連する番組の挿絵などが表示されているときに、広告をカーソルで視覚的に特徴づけることによって関連する番組に関する音声データがデータ放送から取得して再生され、より自由度の高い音声データの提供が可能となる。
【産業上の利用可能性】
【００８２】
本発明の音声データ受信装置及び音声データ受信方法によれば、音声データサーバ上に保存された音声データをインターネット経由あるいは放送経由で取得し、番組表または視聴中の番組に対応させて提供することができ、その際音声データサーバ上の音声データは出演者の音声や番組テーマソング等に適宜工夫することが可能であるから、自由度の高い音声データを提供することができるので、例えばテレビジョン受像機などに適用するものとして有用である。
【符号の説明】
【００８３】
１、１００    音声データ受信装置
３、２０１    チューナー
４、２０２    ＤＥＭＵＸ回路
５    デコード部
６、２０３    メインメモリ
７    映像出力回路
８    音声合成部
９    番組表表示制御部
１０    リモコン受光部
１１    モニタ
１２    音声出力回路
１３    スピーカ
２１    カーソル位置管理部
２２    音声ＩＤ取得部
２３、３２    ＵＲＬ取得部
２４    音声データ取得部
２５    音声データ記憶部
２６、３４    音声データ制御部
３１    ファイル検索部
３２    ファイル取得部
【図１】
2011188170.tif 000003
【図２】
2011188170.tif 000004
【図３】
2011188170.tif 000005
【図４】
2011188170.tif 000006
【図５】
2011188170.tif 000007
【図６】
2011188170.tif 000008